(57)【要約】【課題】トップガイドに対して遊動ガイドが可及的に精度良く一直線状に並ぶ釣竿を提供する。【解決手段】ガイド受座に対して遊動ガイドを装着させて釣りを行う遊動ガイド付きの釣竿であって、遊動ガイドＹＧ１，ＹＧ２，ＹＧ３の装着筒部の内周部には、凹部と凸部が円周方向に交互に並んだガイド側凹凸部を有しており、ガイドの中心線に対する凹凸の位置関係が定まっており、ガイド受座Ｚ１，Ｚ２，Ｚ３外周には、トップガイドＴＧのガイド中心ラインＨ１上に凹状目印を設けると共に、竿杆１０の長手方向に延伸し、凹条と凸条が円周方向に交互に並んだ受座側凹凸条部を設けており、前記遊動ガイドの中心線位置を該凹状目印と合わせた状態では、受座側凹凸条部の各凹条又は凸条はガイド側凹凸部の各凸部又は凹部に対応する角度位置に設けられているよう構成する。【選択図】        図１
2004187579.tif 000002
【特許請求の範囲】
【請求項１】
繊維強化合成樹脂製竿杆の先端にはトップガイドが取り付けられており、途中の所定位置外側にガイド受座を一体化しており、該ガイド受座に対して遊動ガイドを装着させて釣りを行う遊動ガイド付きの釣竿であって、
前記ガイド受座に装着させるための遊動ガイドの装着筒部の内周部には、凹部と凸部が円周方向に交互に並んだガイド側凹凸部を有しており、ガイドの中心と装着筒部の中心とを結ぶ中心線に対する凹凸の位置関係が定まっており、
ガイド受座外周には、トップガイドのガイド中心と竿杆の中心線とを含む平面がガイド受座外周と交わるライン上に凹状目印を設けると共に、竿杆の長手方向に延伸し、凹条と凸条が円周方向に交互に並んだ受座側凹凸条部を設けており、前記遊動ガイドの中心線位置を該凹状目印と合わせた状態では、受座側凹凸条部の各凹条又は凸条はガイド側凹凸部の各凸部又は凹部に対応する角度位置に設けられている
ことを特徴とする釣竿。
【請求項２】
前記ガイド受座は、その近傍の竿杆表面よりも高く肉盛りをした肉盛部に形成され、前記受座側凹凸条部の各凹条も前記凹状目印も、該肉盛部の肉盛層厚さ以内において形成されている請求項１記載の釣竿。
【請求項３】
前記凹状目印には、周辺部と異なる色調の塗料、蛍光塗料、又は蓄光塗料を凹部に入れている請求項１又は２記載の釣竿。
【発明の詳細な説明】
【０００１】
【発明の属する技術分野】
本発明は、竿杆外側に遊動ガイドを装着するガイド受座を有する釣竿に関する。
【０００２】
【従来の技術】
竿杆の複数の所定位置に、断面非円形の取付座を設け、これらに遊動ガイドの装着筒内周部に設けた凹凸条を係合させて回り止めする釣竿が下記特許文献１に開示されている。また、下記特許文献２には、遊動ガイドの円周方向位置決めのための目印を設けた釣竿が開示されている。
【特許文献１】
実用新案登録第２１４７４００号公報
【特許文献２】
実開昭６４−３４９６６号公報
【０００３】
【発明が解決しようとする課題】
然しながら、特許文献１に開示の係合構造では、竿杆に遊動ガイドを装着してトップガイドと一直線状に並べようとした場合、例え特許文献２に開示のような目印を設けたとしても、必ずしも一直線には並べられず、仕掛けの投擲等において、釣糸の繰り出しの抵抗を最小にした円滑な投擲が行われ得ない。即ち、遊動ガイドの装着筒内周部に設けた凹凸条は、該遊動ガイドの中心線に対する角度位置が、凹凸の１つのピッチ範囲内において必ずしも定まってはおらず、断面非円形取付座と係合させても上記ピッチの範囲内で変動し得る。また、凹凸の、遊動ガイドの中心線に対する角度位置が定まって一定である場合でも、この遊動ガイド装着筒内周部凹凸条の凹凸角度位置と、竿杆取付座の断面非円形形状との角度位置関係までが定まっているわけではないので、必ずしも精度良く一直線に並ぶとは限らない。
依って本発明は、トップガイドに対して遊動ガイドが可及的に精度良く一直線状に並ぶ釣竿の提供を目的とする。
【０００４】
【課題を解決するための手段】
上記目的に鑑み本発明の請求項１では、繊維強化合成樹脂製竿杆の先端にはトップガイドが取り付けられており、途中の所定位置外側にガイド受座を一体化しており、該ガイド受座に対して遊動ガイドを装着させて釣りを行う遊動ガイド付きの釣竿であって、前記ガイド受座に装着させるための遊動ガイドの装着筒部の内周部には、凹部と凸部が円周方向に交互に並んだガイド側凹凸部を有しており、ガイドの中心と装着筒部の中心とを結ぶ中心線に対する凹凸の位置関係が定まっており、ガイド受座外周には、トップガイドのガイド中心と竿杆の中心線とを含む平面がガイド受座外周と交わるライン上に凹状目印を設けると共に、竿杆の長手方向に延伸し、凹条と凸条が円周方向に交互に並んだ受座側凹凸条部を設けており、前記遊動ガイドの中心線位置を該凹状目印と合わせた状態では、受座側凹凸条部の各凹条又は凸条はガイド側凹凸部の各凸部又は凹部に対応する角度位置に設けられていることを特徴とする釣竿を提供する。
【０００５】
ガイドの中心と装着筒部の中心とを結ぶ中心線に対する凹凸の位置関係が定まっており、更には、遊動ガイドの中心線位置を凹状目印と合わせた状態では、受座側凹凸条部の各凹条又は凸条は、ガイド側凹凸部の各凸部又は凹部に対応する角度位置に設けられているため、合致させた位置で、ガイド側の凹凸と受座側の凹凸とを係合させることができ、遊動ガイドがトップガイドに対して精度良く一直線状に並ぶ。また、竿杆側に設ける目印は、一般に遊動ガイドの移動による擦れによって摩滅し易いが、凹状目印にしているため、耐久性が向上する。
【０００６】
請求項２では、前記ガイド受座は、その近傍の竿杆表面よりも高く肉盛りをした肉盛部に形成され、前記受座側凹凸条部の各凹条も前記凹状目印も、該肉盛部の肉盛層厚さ以内において形成されている請求項１記載の釣竿を提供する。
受座側凹凸条部の各凹条も、凹状目印も、肉盛部の肉盛層厚さ以内において形成されているので、撓みに対する竿杆強度が低下することが防止される。
【０００７】
請求項３では、前記凹状目印には、周辺部と異なる色調の塗料、蛍光塗料、又は蓄光塗料を凹部に入れている請求項１又は２記載の釣竿を提供する。
こうした塗料を凹部に入れているため、目につき易く、また、塗料が摩滅し難く、耐久性が向上する。
【０００８】
【発明の実施の形態】
以下、本発明を添付図面に示す実施形態例に基づき、更に詳細に説明する。
図１は本発明に係る遊動ガイド付きの釣竿の先方部の平面図であり、図２はその側面図である。中空でも中実でもよい竿杆としての穂先竿１０は、エポキシ樹脂等をマトリックスとし、炭素繊維等の強化繊維で強化した繊維強化樹脂製である。図７に模式的に図示するように、竿杆本体を形成するプリプレグ１０Ｐを芯金２０に巻回し、その長手方向所定位置３箇所の外周に、芯金の長手方向に指向する強化繊維を主として有するプリプレグ片Ｚ１Ｐ，Ｚ２Ｐ，Ｚ３Ｐを巻回した素材を加熱成形して穂先竿１０を形成する。穂持竿１２等、他の竿杆も同様である。
【０００９】
上記プリプレグ片Ｚ１Ｐ，Ｚ２Ｐ，Ｚ３Ｐを夫々巻回した場所は、ガイド受座Ｚ１，Ｚ２，Ｚ３となっており、その近傍の竿杆表面よりも高く肉盛りをした肉盛部に形成されている。これらの各ガイド受座には、夫々、遊動ガイドＹＧ１，ＹＧ２，ＹＧ３が装着される。また、穂先竿の先端にはトップガイドＴＧが取り付けられており（通常は完全固定状態）、穂先竿杆外周に対する角度位置が定まっている。
【００１０】
トップガイドのガイドリングの中心と、穂先竿１０の中心軸線とを含む平面Ｈ１の上に、夫々の遊動ガイドのガイドリング中心が精度よく位置するようにすることが本願の目的である。遊動ガイドＹＧ３を正面から拡大図示した図３を参照すれば、遊動ガイドを竿杆に装着させるための装着筒部Ｔ３を有している。また、釣糸を挿通させるためのセラミックス等の硬質部材で形成されているガイドリングＧ３を有しており、該ガイドリングを前記装着筒部Ｔ３と一体化させるために、夫々を取り囲むようにして連結させるフレーム部Ｆ３を設けている。
【００１１】
装着筒部外周所定位置には凸部ＴＢが、また、装着筒部を保持するフレーム部所定位置には凹部ＭＢが設けられており、この凸部と凹部が係合して、フレーム部に対する装着筒部の回り止め位置決めがなされる。装着筒部の内周部には、円周方向に凹凸の繰り返された凹凸部ＧＭＴが形成されている。この実施形態例での凹凸部は、ガイドリングＧ３の中心Ｃ１と装着筒部の中心Ｃ２とを通る中心線ＣＬ上に、或る凸部ＧＴ０の頂部が位置するように形成されている。
【００１２】
また更に、上記中心線ＣＬ上に目印ＭＫが塗着によって行われているが、溝を設けたりすることもできる。ここでの目印の幅は、１つの凸部の幅以下に形成されている。
以上の構成は他の遊動ガイドにおいても同様である。
【００１３】
一方、ガイド受座Ｚ３の外周部には受座側凹凸条部ＺＭＴが設けられている。即ち、既述のトップガイドＴＧの中心を通る平面Ｈ１上に延伸する１つの凹条ＺＭ０を設け、円周方向に凹条ＺＭと凸条ＺＴが交互に位置するように凹凸条部ＺＭＴを設けている。なお、前記凹条ＺＭ０は他の凹条ＺＭよりも長く、前後に延伸している。この延伸部ＭＪを、遊動ガイド装着時に前記目印ＭＫと合致させる凹状目印としている。これら凹条ＺＭと凹状目印ＭＪとは、全てガイド受座の肉盛層厚さ以内において設けられている。即ち、図７のプリプレグ片Ｚ３Ｐの巻回層内において形成されており、本体用プリプレグ１０Ｐの巻回層には至っていない。
【００１４】
図８と図９を参照して、上記凹凸条部ＺＭＴの形成方法を説明する。ガイド受座Ｚ３の凹条を研削加工する際に、ガイド受座の端部近くをチャックＴＫによって保持し、穂先竿１０を水平方向等に保持し、この保持状態のまま、図９に図示する工具（フライス）ＴＬを回転させて行う。この工具ＴＬは図９の（ｂ）に側面視を図示しており、回転軸ＪＫの先部に刃具ＨＡを装着し、回転軸先端の固定部ＫＢで刃具ＨＡを固定している。（ａ）は正面図である。上記各凹条の形状は、この刃具ＨＡの形状によって定まる。
【００１５】
図８では、ガイド受座の上面側に工具ＴＬを位置させて長手方向に指向した凹条を研削する。この加工の際に、穂先竿１０が撓まないように、ガイド受座Ｚ３の下面側を受けるための受け具ＵＫを設けてもよい。次ぎに、ガイド受座をチャックＴＫで保持したまま、所定ピッチ回転させて隣接した凹条を同様に研削加工する。以後はこれを繰り返す。これにより凹凸条部ＺＭＴが形成される。勿論、特定の凹条ＺＭ０だけは長く形成して目印ＭＪをも一緒に形成する。従って、目印ＭＪを形成する手数が少なくて済み、コスト低減に役立つ。
【００１６】
以上の構成や成形方法は他のガイド受座でも同様である。
こうして遊動ガイドを、その目印ＭＫがガイド受座の目印ＭＪと合致するように位置を合わせれば、遊動ガイドの前述の凸部ＧＴ０がガイド受座の凹条ＺＭ０と係合する。従って、トップガイドＴＧに対して遊動ガイドＹＧ３が精度良く一直線状に並ぶ。他の遊動ガイドも同様である。
【００１７】
上記例では、目印ＭＪが凹条ＺＭ０の延長であるが、該目印ＭＪと凹条ＺＭ０とが途切れていてもよい。また、図５に示すようにガイド受座Ｚ３’の目印は細長溝とは限らず、円形溝を幾つか直線状に並べた目印ＭＪ’でもよい。この場合の目印ＭＪ’の形成方法は、図９に２点鎖線で示す様に、ドリル工具ＴＬ’を回転軸ＪＫの先部に装着しておき、図８の状態から言えば、回転軸と共に工具を後方に退避させ、所定量下降させて、ガイド受座部の側方から形成できる。
【００１８】
次ぎに、以上の例での遊動ガイドの装着筒部内周部の凹凸部ＧＭＴは、特定の凸部ＧＴ０の頂部が中心線ＣＬ上に位置していたが、これがずれている場合、例えば、中心線ＣＬ上に凹部の中心が位置している場合、それに対応して、図６に示す様にガイド受座Ｚ３”の凹凸条部の凹凸の、平面Ｈ１に対する角度位置を設けなければならない。即ち、この場合は、１つの凸条ＺＴ０が平面Ｈ１上に位置するように設けなければならない。細長状の凹状目印ＭＪ”は凸条ＺＴ０の延長上に単独で設けられている。
【００１９】
以上の遊動ガイドの装着筒部Ｔ３等は、金型により、合成樹脂材を射出成形によって成形しているため、削り出し等とは異なり、夫々、常に一定の形態となる。また、凹部ＭＢを有するフレーム部Ｆ３等は、金属板等を型によって打抜き加工して形成するため、夫々、常に一定の形態となる。従って、量産においても、遊動ガイドＹＧ３の中心線ＣＬに対する凹部、凸部の配設角度位置関係は一定である。勿論、互いに型が異なる各遊動ガイドＹＧ１，ＹＧ２，ＹＧ３間では配設角度位置関係に関連性はなく任意であり、例えば、遊動ガイドＹＧ３が図３の形態の場合、遊動ガイドＹＧ２は図６のガイド受座の凹凸条部に対応する形態でもよい等である。
【００２０】
以上の各説明では、竿杆として穂先竿を例としているが、ガイド受座を設ける他の竿杆でも同様である。また、遊動ガイドに設けている中心線目印ＭＫが無くても本願は成り立つ。異なる形態例において説明した各事項は、特に矛盾のない限り、他の形態例にも適用できる。
【００２１】
【発明の効果】
以上の説明から明らかなように本発明によれば、トップガイドに対して遊動ガイドが可及的に精度良く一直線状に並ぶ釣竿が提供可能となる。
【図面の簡単な説明】
【図１】図１は本発明に係る釣竿の先部平面図である。
【図２】図２は図１の釣竿先部の側面図である。
【図３】図３は遊動ガイドの拡大正面図である。
【図４】図４は図１の釣竿の要部拡大図である。
【図５】図５は図４に代わる形態の図である。
【図６】図６は図４に代わる他の形態の図である。
【図７】図７は図１の釣竿の竿杆製法を模式的に示した図である。
【図８】図８はガイド受座の凹凸条部の形成方法を説明する図である。
【図９】図９は図８に使用する工具の図である。
【符号の説明】
１０                      穂先竿（竿杆）
ＧＭＴ                    ガイド側凹凸部
ＭＪ，ＭＪ’，ＭＪ”      凹状目印
Ｔ１，Ｔ２，Ｔ３          装着筒部
ＹＧ１，ＹＧ２，ＹＧ３    遊動ガイド
Ｚ１，Ｚ２，Ｚ３          ガイド受座
ＺＭＴ                    受座側凹凸条部
【図１】
2004187579.tif 000003
【図２】
2004187579.tif 000004
【図３】
2004187579.tif 000005
【図４】
2004187579.tif 000006
【図５】
2004187579.tif 000007
【図６】
2004187579.tif 000008
【図７】
2004187579.tif 000009
【図８】
2004187579.tif 000010
【図９】
2004187579.tif 000011